(57)【要約】      （修正有）【解決手段】エンドユーザーが結婚式の披露宴に招待された際や葬式等に行く際、金融機関等のＡＴＭで通信手段により式場等に設置されている発行装置に予め入金振込みを行う。その際の振込み取引番号をＡＴＭで明細票等に印字発行し、その明細票をエンドユーザーは受け取る。エンドユーザーは式場に行き、式場の当該発行装置端末に前記取引番号を入力手段から入力し、当該発行装置は定型の用紙に祝儀袋や香典袋のようなフォーマットとエンドユーザーの名前を印刷して発行する。エンドユーザーはその印刷された用紙を受け取り式場の受け付けへ持ってくことにより祝儀や香典をおさめる。【効果】祝儀・香典袋や、現金の用意が必要なくなる。また、祝儀袋等に名前等を書くわずらわしさもなくなる。さらに、式場での受付が容易になり、現金の精査、計算といった管理、あるいは香典泥棒等の防止も容易になる。【選択図】図１
2006092224.tif 000002
【特許請求の範囲】
【請求項１】
催事場に設置され所定の体裁の紙片を発行する発行装置端末であって、
金融機関に設置された現金取扱装置との通信手段と、
前記金融機関における利用者の取引番号を入力する取引番号入力手段と
を有し、
利用者が前記現金取扱装置にて所定の金額を入金した際の入金額と取引番号とを前記通信手段によって受信し、
利用者が前記取引番号入力手段によって前記取引番号を入力すると、所定の情報が印字された所定の体裁の紙片を発行することを特徴とする発行装置端末。
【請求項２】
請求項１記載の発行装置端末であって、
前記所定の情報は、利用者の氏名と金額とを含むことを特徴とする発行装置端末。
【請求項３】
請求項１または２記載の発行装置端末であって、
前記所定の体裁は、祝儀袋または香典袋と類似の体裁であることを特徴とする発行装置端末。
【発明の詳細な説明】
【技術分野】
【０００１】
本発明は金融機関等と結婚式場や葬儀場等を結ぶ通信システム及び結婚式場や葬儀場等に設置される冠婚葬祭端末に係わる。
【背景技術】
【０００２】
従来のＡＴＭでは指定口座への現金又はカードによる振込みは行なえた。又、その振込み内容は明細票（振込み先名、金額、日時）に印字発行された。このような明細票への印字を異なる書式で発行するものとして、特許文献１に開示のものがある。
【０００３】
【特許文献１】特開平８−１８７９０８号公報
【発明の開示】
【発明が解決しようとする課題】
【０００４】
結婚式や葬式に行く際、祝儀や香典を祝儀袋や香典袋に入れて持っていく習慣があり、その際予め祝儀袋等を買い、又中に入れる現金（通常新札）を用意する必要があった。また、祝儀袋等には名前や金額を書く必要があり、特に文字下手な人には面倒さがあった。さらに、受けとった側は一袋ずつ開封し、名前、金額を転記し、金額を数え管理する面倒さもあった。又、日本にはお返しと習慣があり前記転記した名前、金額をもとに納める側が受け付けで書いた住所等を調べお返しを送る必要があった。
【課題を解決するための手段】
【０００５】
金融機関等のホストコンピュータを経由して当該金融機関に設置されているＡＴＭとの通信手段、及び予めホッパにセットされた用紙にカラー印刷する印刷手段と当該用紙を発行する発行手段及び、エンドユーザーが記号等を入力可能な入力手段とエンドユーザーに案内等を案内可能な表示手段及び取引情報等を処理及び式場に設置されている金融機関のホストコンピュータと通信可能なサーバとの通信を制御する制御手段を具備した発行装置端末で下記処理を行なう事で解決できる。
【０００６】
エンドユーザーが結婚式の披露宴に招待された際や葬式等に行く際、金融機関等のＡＴＭで前記通信手段により式場等に設置されている当該発行装置に予め入金振込みを行う。その際の振込み取引番号をＡＴＭで明細票等に印字発行し、その明細票をエンドユーザーは受け取る。
【０００７】
エンドユーザーは式場に行き、式場の当該発行装置端末の表示機に予め当日の全式の時間や名前と部屋名が表示されてその中から選択することが可能な案内表示画面に従いまず、何時からの何家の結婚式に出席するかを入力し、続けて前記取引番号を前記入力手段から入力する。当該発行装置は定型の用紙に祝儀袋や香典袋のようなフォーマットとエンドユーザーの名前を印刷して発行し、当該祝儀等を何時からの何家の何部屋の式の仮口座に引き当てる。エンドユーザーはその印刷された用紙を受け取り式場の受け付けへ持ってくことにより祝儀や香典をおさめる。
【０００８】
エンドユーザーがＡＴＭで入金した際、住所等の情報を経由する金融機関のホストコンピュータから発行装置端末に入金情報と同時に送る事によりエンドユーザーが受け付けで住所等を書く必要もなくなる。
【０００９】
又、発行装置端末の有する情報処理手段により納められた祝儀等は一括したリスト出力及びまとまった現金での受け取り又は受け取った側の指定する口座への振り込みが可能である。
【００１０】
さらに前記リストの情報をお返しの業者等と共有化を図ることにより、お返しの処理も容易になる。  
【発明の効果】
【００１１】
したがって本発明によれば、結婚式や葬式に行く際の祝儀・香典袋の用意、現金（新札）の用意が必要なくなる。また、文字べたな人が祝儀袋等に名前等を書くわずらわしさもなくなる。さらに、式場での受付が容易になり、現金の精査、計算といった管理、あるいは香典泥棒等の現金の管理も容易になるだけでなく、式が終わった後のお返しの処理も容易になる。
【００１２】
一方、金融機関、式場は祝儀袋代程度の手数料の収入が見込める。
【発明を実施するための最良の形態】
【００１３】
以下本発明の実施例を図を用いながら結婚式の場合について詳細に説明する。
図１は本発明のシステム形態図である。
図２は本発明の冠婚葬祭発行装置端末の断面図である。
図３は本発明の金融機関等のＡＴＭの案内画面である。
図４は本発明の冠婚葬祭発行装置端末の案内画面である。
【実施例１】
【００１４】
図１に於いて１は金融機関等に設置されているＡＴＭ、２はＡＴＭと接続されている金融機関のホストコンピュータ、３は金融機関のホストコンピュータと式場のサーバを結ぶ通信手段、４は式場等に設置されている冠婚葬祭発行装置端末、５は結婚式に出席する人、６は結婚式に出席する人の金融機関のキャッシュカード、７はＡＴＭから発行される振込み取引番号が印刷された明細票、８は冠婚葬祭端末から発行される従来の祝儀袋相当の明細票、９は式場の受付である。
【００１５】
図２に於いて１０は上記８の印刷前の用紙を収納しているホッパ、１１はその用紙に印刷を行なう印刷手段、１２はその用紙を発行する発行口、１３はエンドユーザーが文字等を入力する入力機能と同時にエンドユーザーに案内を行なう事が可能な表示機、１４は式場のサーバーと接続通信や本冠婚葬祭端末の制御を行なう制御部である。
【００１６】
図３において１５は式の種類の選択画面、１６は式場の所在地の都道府県名選択画面、１７は式場の所在地の市町村名選択画面、１８は式場名選択画面、１９は式の執り行われる年月日入力画面である。
【００１７】
図４において２０は式場の当該日に執り行われる式が全て表示された当該式の選択画面、２１は振込み取引番号入力画面、２２は祝儀袋のデザインの選択画面である。
【００１８】
結婚式に出席する人５は結婚式場に行く前に金融機関（コンビニでも可）に出向き１のＡＴＭを用いて１５の式の種類の選択画面から結婚式場を選択し、１６の式場の所在地の都道府県名選択画面から都道府県名を選択し、１７の式場の所在地の市町村名選択画面から市町村名を選択し、１８の式場名選択画面から式場名を選択し、１９の式の執り行われる年月日入力画面で年月日を入力し、６キャッシュカードあるいは通帳等を用いてお祝いする金額を入力してＡＴＭから７当該振込み取引番号が印刷された明細票が発行され、その明細票を５結婚式に出席する人が受け取って先ず金融機関での取引は終了する。
【００１９】
この取引終了後、この情報は金融機関のホストコンピュータに蓄積される。
【００２０】
前記情報に５結婚式に出席する人の名前、住所、電話番号を付け加えて結婚式当日に３金融機関のホストコンピュータと式場のサーバを結ぶ通信手段を通して４式場に設置されている冠婚葬祭発行装置端末の１４制御部に送信される。
【００２１】
尚、前記金融機関での振込み取引が結婚式当日である場合リアルタイムで情報が送信されることは言うまでもない。結婚式当日に５結婚式に出席する人は式場へ出かける。式場へ到着した５結婚式へ出席する人は４式場に設置されている冠婚葬祭発行装置端末へ向かい、１３の案内表示画面に従いまず、２０の選択画面から何時からの何家の結婚式に出席するかを入力する。表示機には予め当日の全式の時間や名前と部屋名を表示させておきその中から選択することで同名同士の同時刻の式にも対応可能である。
【００２２】
次に７明細票に印刷されている当該振込み取引番号を１３の案内画面の２１に従い振込み取引番号入力画面１３の入力手段により入力する。すると予め１４制御部に到着していた金融機関での振込み取引情報が当該結婚式家の情報として割り当てられる。
ここで案内画面は祝儀袋２２のデザイン選択画面を表示し、結婚式５に出席する人は入力手段１３によりデザインを選択する。
【００２３】
そこで当該デザインと前記制御部に到着していた情報をもとに祝儀袋のデザインと結婚式に出席する人の名前、御祝い金額を１０のホッパから繰り出した用紙に１１の印刷手段で印刷を行い、発行口１２へ発行する。
【００２４】
結婚式５に出席する人は発行口１２に発行された冠婚葬祭端末８から発行される従来の祝儀袋相当の明細票を受け取り、その明細票を持って式場の受付へ行き、受付の人に“本日はおめでとうございます。”と言って渡す。４式場に設置されている冠婚葬祭発行装置端末の１４制御部には５結婚式に出席する人の名前、住所、電話番号の情報は予め到着しており、又この人が何何家の結婚式に出席するかも１４制御部で認識されている為、ここで従来のように住所氏名等を記名する必要はない。
【００２５】
したがって結婚式に出席する人が全員受付をとおった後には何々家結婚式の出席者の住所、氏名、御祝い金何円の情報が全て４式場に設置されている冠婚葬祭発行装置端末の１４制御部に蓄積されている。
【００２６】
この情報をもとにこの御祝い金全額ＸＸ円を受けとった側は指定口座に振り込んだり、現金化したり、あるいは式場代の支払いに使用することが可能である。さらに現金は伴っていないため祝儀袋から現金を取り出し、数えたりリストに金額を記入したりする必要もない。
【産業上の利用可能性】
【００２７】
本端末及び本システムは金融機関等及び結婚式場・葬儀場等のサービス事業において
顧客の利便性、手数料収入等で今後利用可能性を有する。
【図面の簡単な説明】
【００２８】
【図１】本発明のシステム形態図
【図２】本発明の冠婚葬祭発行装置端末の断面図
【図３】本発明の金融機関等のＡＴＭの案内画面
【図４】本発明の冠婚葬祭発行装置端末の案内画面
【符号の説明】
【００２９】
１・・・ＡＴＭ、２・・・ホストコンピュータ、３・・・通信手段、４・・・発行装置端末、５・・・出席者、６・・・キャッシュカード、７・・・明細票、８・・・従来の祝儀袋相当の明細票、９・・・式場の受付、１０・・・ホッパ、１１・・・印刷手段、１２・・・発行口、１３・・・表示機、１４・・・制御部、１５・・・選択画面、１６・・・都道府県名選択画面、１７・・・市町村名選択画面、１８・・・式場名選択画面、１９・・・年月日入力画面、２０・・・選択画面、２１・・・取引番号入力画面、２２・・・祝儀袋のデザインの選択画面
【図１】
2006092224.tif 000003
【図２】
2006092224.tif 000004
【図３】
2006092224.tif 000005
【図４】
2006092224.tif 000006